(57)【要約】【課題】閲覧を所望するウェブページを効率的に検索する。【解決手段】デジタル放送受信機のＭＰＵ１１は、リモコン２を介してユーザからの操作入力を受け付け、受け付けられた操作入力に基づいて、受信部１４を介して受信された映像情報に対応する静止画像情報を生成する静止画像生成部１１１と、静止画像生成部１１１によって静止画像情報が生成された場合に、生成された静止画像情報に含まれ、ウェブブラウザとして機能するブラウザ部１１７を介してユーザが閲覧を所望するウェブページを検索する際に入力されるキーワードである検索キーワードを文字情報として抽出する検索単語抽出部１１５と、を備えている。【選択図】図３
2009105587.tif 000002
【特許請求の範囲】
【請求項１】
ネットワークを介してウェブページを取得して表示するウェブブラウザを備えると共に、テレビジョン放送を受信し、受信した映像情報及びウェブページをモニタに表示可能に接続された放送受信装置であって、
予め設定された１のチャンネルのテレビジョン放送を受信する受信手段と、
外部からの操作入力を受け付け、受け付けられた操作入力に基づいて、前記受信手段を介して受信された映像情報に対応する静止画像情報を生成する静止画像生成手段と、
前記静止画像生成手段によって静止画像情報が生成された場合に、生成された静止画像情報に含まれ、前記ウェブブラウザを介してユーザが閲覧を所望するウェブページを検索する際に入力されるキーワードである検索キーワードを文字情報として抽出する検索単語抽出手段と、
を備えることを特徴とする放送受信装置。
【請求項２】
前記検索単語抽出手段によって検索キーワードが抽出された場合に、抽出された検索キーワードに適合するウェブページを、前記ウェブブラウザを介して、予め設定された検索サイトを介して検索し、検索結果を前記モニタに表示する検索実行手段を備えることを特徴とする請求項１に記載の放送受信装置。
【請求項３】
前記検索キーワードを文字情報として格納する検索単語記憶手段を備え、
前記検索単語抽出手段は、抽出された検索キーワードを前記検索単語記憶手段に記録し、
前記検索実行手段は、外部からの操作入力を受け付け、受け付けられた操作入力に基づいて、前記検索単語記憶手段に格納された検索キーワードの中から、少なくとも１の検索キーワードを選定し、選定された検索キーワードに適合するウェブページを、前記ウェブブラウザを介して、予め設定された検索サイトを介して検索し、検索結果を前記モニタに表示することを特徴とする請求項２に記載の放送受信装置。
【請求項４】
前記静止画像生成手段によって静止画像情報が生成された場合に、生成された静止画像情報に含まれる横長の長方形からなる図形情報である対象図形情報を抽出する図形抽出手段を備え、
前記検索単語抽出手段は、前記図形抽出手段によって抽出された対象図形情報の輪郭を構成する横長の長方形の内部に含まれる文字情報を検索キーワードとして抽出することを特徴とする請求項１〜請求項３のいずれかに記載の放送受信装置。
【請求項５】
前記図形抽出手段によって複数の対象図形情報が抽出された場合に、複数の対象図形情報毎に、対象図形の右側に、対象図形と高さが略同一であって、且つ、対象図形より幅が狭い図形である判定用図形があるか否かを判定する第１判定手段を備え、
前記検索単語抽出手段は、前記図形抽出手段によって抽出された複数の対象図形情報の内、前記第１判定手段によって判定用図形があると判定された対象図形情報について、検索キーワードを抽出することを特徴とする請求項４に記載の放送受信装置。
【請求項６】
前記第１判定手段は、前記判定用図形として横長の長方形からなる図形があるか否かを判定することを特徴とする請求項５に記載の放送受信装置。
【請求項７】
前記図形抽出手段によって複数の対象図形情報が抽出された場合に、複数の対象図形情報毎に、対象図形の右側近傍に、「検索」又は「ｓｅａｒｃｈ」との文字である判定用文字があるか否かを判定する第２判定手段を備え、
前記検索単語抽出手段は、前記図形抽出手段によって抽出された複数の対象図形情報の内、前記第２判定手段によって判定用文字があると判定された対象図形情報について、検索キーワードを抽出することを特徴とする請求項４〜請求項６のいずれかに記載の放送受信装置。
【発明の詳細な説明】
【技術分野】
【０００１】
本発明は、ネットワークを介してウェブページを取得して表示するウェブブラウザを備えると共に、テレビジョン放送を受信し、受信した映像情報及びウェブページをモニタに表示可能に接続された放送受信装置に関する。
【背景技術】
【０００２】
ネットワークを介してウェブページを取得して表示するウェブブラウザを備えると共に、テレビジョン放送を受信し、受信した映像情報及びウェブページをモニタに表示可能に接続された放送受信装置において、ユーザが閲覧を所望するウェブページを表示するためには、ウェブページのアドレスを入力する必要があるため、その操作が煩雑であった。すなわち、テレビジョン受信機等の放送受信装置にアドレスを入力するためには、リモートコントローラを介してアドレスを入力する必要があるため、パーソナルコンピュータ等においてキーボードを介してアドレスを入力する場合とは異なり、入力する文字を選択するために複雑な操作を要するので、操作が煩雑であった。そこで、ユーザが閲覧を所望するウェブページを効率的に表示するための種々の装置、方法が提案されている。
【０００３】
例えば、画像読み取り部は、テレビの画像を一定間隔で抽出し、画像記憶部に記憶させ、解析部は、記憶した画像情報に「http:// 」を含むパターンの有無の検出を行い、検出した場合、「http:// 」に続くパターンで、最後のピリオド「. 」の直後のパターンまでを一つの文字列として切り出し、認識部へ渡し、認識部では、渡された文字列の画像情報を文字情報に変換し、ＵＲＬアドレスとして認識するテレビとＷＷＷブラウザの連携方式が開示されている（特許文献１参照）。
【特許文献１】特開平１１−１５４１３１号公報
【発明の開示】
【発明が解決しようとする課題】
【０００４】
しかしながら、上記テレビとＷＷＷブラウザの連携方式等においては、画像情報にＵＲＬアドレスが含まれている必要があり、更に、画像のどこにＵＲＬアドレスが含まれているか否かが不明であるために、膨大な画像処理が必要であるため、閲覧を所望するウェブページを効率的に表示することは困難であった。
【０００５】
一方、近年のインターネット接続が可能な機器（例えば、パーソナルコンピュータ、携帯電話等）の普及に伴い、ＣＭ（Ｃｏｍｍｅｒｃｉａｌ  Ｍｅｓｓａｇｅ）等の映像において、検索サイトにおいて入力されるキーワードである検索キーワードを映像内に表示すること（図４参照）が頻繁に行われている。
【０００６】
本発明は、上記課題に鑑みてなされたものであって、閲覧を所望するウェブページを効率的に検索することの可能な放送受信装置を提供することを目的としている。
【課題を解決するための手段】
【０００７】
上記目的を達成するために請求項１に記載の放送受信装置は、ネットワークを介してウェブページを取得して表示するウェブブラウザを備えると共に、テレビジョン放送を受信し、受信した映像情報及びウェブページをモニタに表示可能に接続された放送受信装置であって、予め設定された１のチャンネルのテレビジョン放送を受信する受信手段と、外部からの操作入力を受け付け、受け付けられた操作入力に基づいて、前記受信手段を介して受信された映像情報に対応する静止画像情報を生成する静止画像生成手段と、前記静止画像生成手段によって静止画像情報が生成された場合に、生成された静止画像情報に含まれ、前記ウェブブラウザを介してユーザが閲覧を所望するウェブページを検索する際に入力されるキーワードである検索キーワードを文字情報として抽出する検索単語抽出手段と、を備えることを特徴としている。
【０００８】
請求項２に記載の放送受信装置は、請求項１に記載の放送受信装置であって、前記検索単語抽出手段によって検索キーワードが抽出された場合に、抽出された検索キーワードに適合するウェブページを、前記ウェブブラウザを介して、予め設定された検索サイトを介して検索し、検索結果を前記モニタに表示する検索実行手段を備えることを特徴としている。
【０００９】
請求項３に記載の放送受信装置は、請求項２に記載の放送受信装置であって、前記検索キーワードを文字情報として格納する検索単語記憶手段を備え、前記検索単語抽出手段が、抽出された検索キーワードを前記検索単語記憶手段に記録し、前記検索実行手段が、外部からの操作入力を受け付け、受け付けられた操作入力に基づいて、前記検索単語記憶手段に格納された検索キーワードの中から、少なくとも１の検索キーワードを選定し、選定された検索キーワードに適合するウェブページを、前記ウェブブラウザを介して、予め設定された検索サイトを介して検索し、検索結果を前記モニタに表示することを特徴としている。
【００１０】
請求項４に記載の放送受信装置は、請求項１〜請求項３のいずれかに記載の放送受信装置であって、前記静止画像生成手段によって静止画像情報が生成された場合に、生成された静止画像情報に含まれる横長の長方形からなる図形情報である対象図形情報を抽出する図形抽出手段を備え、前記検索単語抽出手段が、前記図形抽出手段によって抽出された対象図形情報の輪郭を構成する横長の長方形の内部に含まれる文字情報を検索キーワードとして抽出することを特徴としている。
【００１１】
請求項５に記載の放送受信装置は、請求項４に記載の放送受信装置であって、前記図形抽出手段によって複数の対象図形情報が抽出された場合に、複数の対象図形情報毎に、対象図形の右側に、対象図形と高さが略同一であって、且つ、対象図形より幅が狭い図形である判定用図形があるか否かを判定する第１判定手段を備え、前記検索単語抽出手段が、前記図形抽出手段によって抽出された複数の対象図形情報の内、前記第１判定手段によって判定用図形があると判定された対象図形情報について、検索キーワードを抽出することを特徴としている。
【００１２】
請求項６に記載の放送受信装置は、請求項５に記載の放送受信装置であって、前記第１判定手段が、前記判定用図形として横長の長方形からなる図形があるか否かを判定することを特徴としている。
【００１３】
請求項７に記載の放送受信装置は、請求項４〜請求項６のいずれかに記載の放送受信装置であって、前記図形抽出手段によって複数の対象図形情報が抽出された場合に、複数の対象図形情報毎に、対象図形の右側近傍に、「検索」又は「ｓｅａｒｃｈ」との文字である判定用文字があるか否かを判定する第２判定手段を備え、前記検索単語抽出手段が、前記図形抽出手段によって抽出された複数の対象図形情報の内、前記第２判定手段によって判定用文字があると判定された対象図形情報について、検索キーワードを抽出することを特徴としている。
【発明の効果】
【００１４】
請求項１に記載の放送受信装置によれば、外部からの操作入力が受け付けられ、受け付けられた操作入力に基づいて、受信手段を介して受信された映像情報に対応する静止画像情報が生成され、静止画像情報が生成された場合に、生成された静止画像情報に含まれ、ウェブブラウザを介してユーザが閲覧を所望するウェブページを検索する際に入力されるキーワードである検索キーワードが文字情報として抽出されるため、閲覧を所望するウェブページを効率的に検索することができる。
【００１５】
すなわち、受信された映像情報に対応する静止画像情報が生成され、生成された静止画像情報に含まれ、ウェブブラウザを介してユーザが閲覧を所望するウェブページを検索する際に入力されるキーワードである検索キーワードが文字情報として抽出されるため、抽出された検索キーワードを、ウェブブラウザを介して、例えば、検索サイトにおける検索キーワードを受け付けるキーワード入力部に入力することによってウェブページを検索することが可能となるため、閲覧を所望するウェブページを効率的に検索することができるのである。
【００１６】
請求項２に記載の放送受信装置によれば、検索キーワードが抽出された場合に、抽出された検索キーワードに適合するウェブページが、ウェブブラウザを介して、予め設定された検索サイトを介して検索され、検索結果がモニタに表示されるため、閲覧を所望するウェブページを更に効率的に検索することができる。
【００１７】
すなわち、検索キーワードが抽出された場合に、抽出された検索キーワードに適合するウェブページが、ウェブブラウザを介して、予め設定された検索サイトを介して検索され、検索結果がモニタに表示されるため、ユーザが検索サイトにおける検索キーワードを受け付けるキーワード入力部に入力する必要が無いので、閲覧を所望するウェブページを更に効率的に検索することができるのである。
【００１８】
請求項３に記載の放送受信装置によれば、抽出された検索キーワードが文字情報として検索単語記憶手段に記録され、外部からの操作入力が受け付けられ、受け付けられた操作入力に基づいて、検索単語記憶手段に格納された検索キーワードの中から、少なくとも１の検索キーワードが選定され、選定された検索キーワードに適合するウェブページが、ウェブブラウザを介して、予め設定された検索サイトを介して検索され、検索結果がモニタに表示されるため、閲覧を所望するウェブページを利便性良好に且つ効率的に検索することができる。
【００１９】
すなわち、抽出された検索キーワードが文字情報として検索単語記憶手段に記録され、外部からの操作入力が受け付けられ、受け付けられた操作入力に基づいて、検索単語記憶手段に格納された検索キーワードの中から、少なくとも１の検索キーワードが選定され、選定された検索キーワードに適合するウェブページが、ウェブブラウザを介して、予め設定された検索サイトを介して検索され、検索結果がモニタに表示されるため、ユーザは所望する検索キーワードを選択することができるので、閲覧を所望するウェブページを利便性良好に且つ効率的に検索することができるのである。
【００２０】
例えば、検索キーワードとして不要なものが抽出された場合には、抽出された検索キーワードの中から不要な検索キーワードを除く検索キーワードを選定することによって、閲覧を所望するウェブページを確実に検索することができるのである。
【００２１】
請求項４に記載の放送受信装置によれば、生成された静止画像情報に含まれる横長の長方形からなる図形情報である対象図形情報が抽出され、抽出された対象図形情報の輪郭を構成する横長の長方形の内部に含まれる文字情報が検索キーワードとして抽出されるため、閲覧を所望するウェブページを更に効率的に検索することができる。
【００２２】
すなわち、生成された静止画像情報に含まれる横長の長方形からなる図形情報である対象図形情報が抽出され、抽出された対象図形情報の輪郭を構成する横長の長方形の内部に含まれる文字情報が検索キーワードとして抽出されるため、検索キーワードを抽出する対象となる領域が対象図形の内部に限定されるので、検索キーワードを効率的に抽出することができ、閲覧を所望するウェブページを更に効率的に検索することができるのである。
【００２３】
請求項５に記載の放送受信装置によれば、複数の対象図形情報が抽出された場合に、複数の対象図形情報毎に、対象図形の右側に、対象図形と高さが略同一であって、且つ、対象図形より幅が狭い図形である判定用図形があるか否かが判定され、抽出された複数の対象図形情報の内、判定用図形があると判定された対象図形情報について、検索キーワードが抽出されるため、閲覧を所望するウェブページを更に効率的に検索することができる。
【００２４】
すなわち、複数の対象図形情報が抽出された場合に、複数の対象図形情報毎に、対象図形の右側に、対象図形と高さが略同一であって、且つ、対象図形より幅が狭い図形である判定用図形（例えば、図４（ａ）の検索ボタン表示部４０３）があるか否かが判定され、抽出された複数の対象図形情報の内、判定用図形があると判定された対象図形情報について、検索キーワードが抽出されるため、不要な検索キーワードが抽出されることを効果的に防止することができるので、検索キーワードを更に効率的に抽出することができ、閲覧を所望するウェブページを更に効率的に検索することができるのである。
【００２５】
請求項６に記載の放送受信装置によれば、判定用図形（例えば、図４（ａ）の検索ボタン表示部４０３）として横長の長方形からなる図形があるか否かが判定されるため、判定用図形があるか否かを更に適正に判定することができるので、検索キーワードを更に効率的に抽出することができ、閲覧を所望するウェブページを更に効率的に検索することができる。
【００２６】
請求項７に記載の放送受信装置によれば、複数の対象図形情報が抽出された場合に、複数の対象図形情報毎に、対象図形の右側近傍に、「検索」又は「ｓｅａｒｃｈ」との文字である判定用文字があるか否かが判定され、抽出された複数の対象図形情報の内、判定用文字があると判定された対象図形情報について、検索キーワードが抽出されるため、閲覧を所望するウェブページを更に効率的に検索することができる。
【００２７】
すなわち、複数の対象図形情報が抽出された場合に、複数の対象図形情報毎に、対象図形の右側近傍に、「検索」又は「ｓｅａｒｃｈ」との文字である判定用文字（例えば、図４（ａ）の検索ボタン表示部４０３内に表示された「検索」の文字）があるか否かが判定され、抽出された複数の対象図形情報の内、判定用文字があると判定された対象図形情報について、検索キーワードが抽出されるため、不要な検索キーワードが抽出されることを効果的に防止することができるので、検索キーワードを更に効率的に抽出することができ、閲覧を所望するウェブページを更に効率的に検索することができるのである。
【発明を実施するための最良の形態】
【００２８】
以下に本発明の実施形態を、図面を参照しながら説明する。図１は、本発明に係るデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。また、デジタル放送受信機１は、インターネット３（ネットワークに相当する）を介してウェブページを取得して表示可能に構成されている。
【００２９】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、赤外線通信部１８、及び、通信部１９を備えている。
【００３０】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３１】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００３２】
アンテナ部１４１は、テレビジョン放送波を受信するものである。チューナ部１４２は、アンテナ部１４１で受信されたテレビジョン放送波から、リモコン２を介して予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００３３】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００３４】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００３５】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３６】
赤外線通信部１８は、リモコン２からの電源のＯＮ、ＯＦＦ操作、選局、デジタル放送受信機１の各種設定等の各種操作を受け付けるものである。通信部１９は、ＭＰＵ１１（後述する検索実行部１１６及びブラウザ部１１７）からの指示に基づいて、インターネット３を介してウェブページ情報を取得するものである。
【００３７】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３８】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３９】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００４０】
図２は、リモコン２の一例を示す正面図である。リモコン２（静止画像生成手段の一部、及び、検索実行手段の一部に相当する）は、ユーザからの操作入力を受け付けて、操作入力に対応する赤外線信号を生成して、デジタル放送受信機１に対して出力するものであって、赤外線信号出力部２１、方向キー２２、決定キー２３、及び、インターネット接続キー２４を備えている。赤外線信号出力部２１は、ユーザによって押下されたキーに対応する操作信号を生成し、赤外線信号に変換してデジタル放送受信機１に対して送信するものである。
【００４１】
方向キー２２は、ディスプレイ１７３に表示された複数の選択肢の中から１の選択肢を選択する場合等に押下されるキーであって、上方向キー、下方向キー、左方向キー、及び、右方向キーの４個のキーから構成されている。決定キー２３は、方向キー２２によって選択された選択肢に決定する場合等に押下されるキーである。
【００４２】
インターネット接続キー２４は、映像情報に対応する静止画像情報を生成する場合（＝ユーザが、ディスプレイ１７３に表示されている映像に、閲覧を所望するウェブページを検索する際に入力されるキーワードである検索キーワードが表示されていると判断した場合）等に押下されるキーである。
【００４３】
図３は、本発明に係るデジタル放送受信機１における主要部の構成の一例を示すブロック図である。ＭＰＵ１１は、機能的に、静止画像生成部１１１、図形抽出部１１２、第１判定部１１３、第２判定部１１４、検索単語抽出部１１５、検索実行部１１６、及び、ブラウザ部１１７を備え、ＲＡＭ１２は、機能的に、静止画像記憶部１２１、及び、検索単語記憶部１２２を備えている。
【００４４】
ここでは、ＭＰＵ１１が、図１に示すＲＯＭ１３等に予め格納された制御プログラムを読み出して実行することにより、静止画像生成部１１１、図形抽出部１１２、第１判定部１１３、第２判定部１１４、検索単語抽出部１１５、検索実行部１１６、ブラウザ部１１７等の機能部として機能すると共に、ＲＡＭ１２を、静止画像記憶部１２１、検索単語記憶部１２２等の機能部として機能させるものである。
【００４５】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４６】
静止画像記憶部１２１は、静止画像生成部１１１によって生成された静止画像情報を格納するものである。静止画像記憶部１２１に格納された静止画像情報は、図形抽出部１１２、第１判定部１１３、第２判定部１１４、及び、検索単語抽出部１１５によって読み出されるものである。
【００４７】
検索単語記憶部１２２（検索単語記憶手段に相当する）は、検索単語抽出部１１５によって抽出された検索キーワードを文字情報として格納するものである。検索単語記憶部１２２に格納された検索キーワード情報は、検索単語抽出部１１５によって記録され（＝書き込まれ）、検索実行部１１６によって読み出されるものである。
【００４８】
静止画像生成部１１１（静止画像生成手段の一部に相当する）は、リモコン２を介してユーザからの操作入力を受け付け、受け付けられた操作入力に基づいて、受信部１４を介して受信された映像情報に対応する静止画像情報を生成し、生成された静止画像情報を静止画像記憶部１２１に記録する（＝書き込む）ものである。具体的には、ここでは、静止画像生成部１１１は、図２に示すリモコン２に配設されたインターネット接続キー２４が押下された旨の信号が受け付けられた場合に、受信部１４を介して受信された映像情報に対応する静止画像情報を生成するものである。
【００４９】
図形抽出部１１２（図形抽出手段に相当する）は、静止画像生成部１１１によって静止画像情報が生成された場合に、生成された静止画像情報に含まれる横長の長方形からなる図形情報である対象図形情報（例えば、図４に示すキーワード表示部４０２、４１２に相当する図形情報）を抽出するものである。
【００５０】
第１判定部１１３（第１判定手段に相当する）は、図形抽出部１１２によって複数の対象図形情報が抽出された場合に、複数の対象図形情報毎に、対象図形の右側に、対象図形と高さが略同一であって、且つ、対象図形より幅が狭い図形である判定用図形（例えば、図４（ａ）に示す検索ボタン表示部４０３に相当する図形情報）があるか否かを判定するものである。より具体的には、第１判定部１１３は、判定用図形として横長の長方形からなる図形があるか否かを判定するものである。
【００５１】
すなわち、第１判定部１１３は、図形抽出部１１２によって複数の対象図形情報が抽出された場合に、複数の対象図形情報の中から、判定用図形の有無に基づいて、検索キーワード情報が含まれる対象図形情報を判定するものである。
【００５２】
第２判定部１１４（第２判定手段に相当する）は、図形抽出部１１２によって複数の対象図形情報が抽出され、且つ、第１判定部１１３によって、抽出された全ての対象図形情報について判定用図形が無いと判定された場合に、複数の対象図形情報毎に、対象図形の右側近傍に、「検索」又は「ｓｅａｒｃｈ」との文字である判定用文字（例えば、図４（ａ）に示す検索ボタン表示部４０３内に表示された「検索」の文字、図４（ｂ）に示す検索ボタン表示部４１３内に表示された「ｓｅａｒｃｈ」の文字）があるか否かを判定するものである。
【００５３】
すなわち、第２判定部１１４は、図形抽出部１１２によって複数の対象図形情報が抽出され、且つ、第１判定部１１３によって、抽出された全ての対象図形情報について判定用図形が無いと判定された場合に、複数の対象図形情報の中から、判定用文字の有無に基づいて、検索キーワード情報が含まれる対象図形情報を判定するものである。
【００５４】
検索単語抽出部１１５（検索単語抽出手段に相当する）は、静止画像生成部１１１によって静止画像情報が生成された場合に、生成された静止画像情報に含まれ、ブラウザ部１１７を介してユーザが閲覧を所望するウェブページを検索する際に入力されるキーワードである検索キーワードを文字情報として抽出し、抽出された文字情報を検索単語記憶部１２２に記録する（＝書き込む）ものである。
【００５５】
具体的には、検索単語抽出部１１５は、図形抽出部１１２によって抽出された対象図形情報の輪郭を構成する横長の長方形の内部に含まれる文字情報（例えば、図４キーワード表示部４０２、４１２にそれぞれ表示された「ＡＡＡＡ」、及び、「ＢＢＢＢ」の文字情報）を検索キーワードとして抽出するものである。
【００５６】
また、検索単語抽出部１１５は、図形抽出部１１２によって複数の対象図形情報が抽出された場合に、図形抽出部１１２によって抽出された複数の対象図形情報の内、第１判定部１１３によって判定用図形があると判定された対象図形情報について、検索キーワードを抽出するものである。
【００５７】
更に、検索単語抽出部１１５は、図形抽出部１１２によって複数の対象図形情報が抽出され、且つ、第１判定部１１３によって、抽出された全ての対象図形情報について判定用図形が無いと判定された場合に、図形抽出部１１２によって抽出された複数の対象図形情報の内、第２判定部１１４によって判定用文字があると判定された対象図形情報について、検索キーワードを抽出するものである。
【００５８】
図４は、図形抽出部１１２によって抽出される対象図形情報、第１判定部１１３によって判定に用いられる判定用図形、及び、第２判定部１１４によって判定に用いられる判定用文字が含まれる静止画像が表示された画面（以下、「静止画像表示画面」という）の一例を示す画面図である。
【００５９】
静止画像表示画面４００、４１０は、それぞれ、画面略中央部に、メッセージ表示部４０１、４１１が表示され、メッセージ表示部４０１、４１１の下側に、キーワード表示部４０２、４１２及び検索ボタン表示部４０３、４１３が表示されている。メッセージ表示部４０１、４１１は、ＣＭ（Ｃｏｍｍｅｒｃｉａｌ  Ｍｅｓｓａｇｅ）を提供する会社等からの宣伝用メッセージ等を表示するものである。
【００６０】
キーワード表示部４０２、４１２は、ＣＭを提供する会社、又は、その製品等に関するウェブページを、検索サイトを介して検索する際に入力されるキーワードである検索キーワード（ここでは、「ＡＡＡＡ」、「ＢＢＢＢ」）を表示するものである。検索ボタン表示部４０３、４１３は、検索サイトを介して検索する際に押下されるボタンを表示するものである。
【００６１】
静止画像生成部１１１によって（ａ）に示す静止画像表示画面４００に対応する静止画像情報が生成された場合には、図形抽出部１１２によって、対象図形情報として、メッセージ表示部４０１、キーワード表示部４０２、及び、検索ボタン表示部４０３が抽出される。そして、第１判定部１１３によって、キーワード表示部４０２が、この図形の右側に、この図形と高さが略同一であって、且つ、この図形より幅が狭い図形であって、横長の長方形からなる図形である判定用図形（ここでは、図４（ａ）に示す検索ボタン表示部４０３に相当する図形情報）があると判定され、検索単語抽出部１１５によって、キーワード表示部４０２から検索キーワードが抽出される。
【００６２】
また、静止画像生成部１１１によって（ｂ）に示す静止画像表示画面４１０に対応する静止画像情報が生成された場合には、図形抽出部１１２によって、対象図形情報として、メッセージ表示部４１１、キーワード表示部４１２、及び、検索ボタン表示部４１３が抽出される。そして、検索ボタン表示部４１３が横長の長方形からなる図形ではないため、第１判定部１１３によって、抽出された全ての対象図形について、判定用図形は無いと判定される。次いで、第２判定部１１４よって、キーワード表示部４１２が、この図形の右側近傍に、判定用文字（ここでは、図４（ｂ）に示す検索ボタン表示部４１３内に表示された「ｓｅａｒｃｈ」の文字）があると判定され、検索単語抽出部１１５によって、キーワード表示部４１２から検索キーワードが抽出される。
【００６３】
すなわち、図４（ａ）及び（ｂ）にそれぞれ示す静止画像表示画面４００、４１０に対応する静止画像情報が生成された場合には、検索単語抽出部１１５によって、キーワード表示部４０２、４１２から検索キーワードが抽出されるため、適正な検索キーワードを抽出することができるのである。
【００６４】
再び、図３に戻って、ＭＰＵ１１の機能構成について説明する。検索実行部１１６（検索実行手段の一部に相当する）は、検索単語抽出部１１５によって検索キーワードが抽出された場合に、抽出された検索キーワードを、ブラウザ部１１７を介して、予め設定された検索サイト（例えば、http://www.yahoo.co.jp、http://www.google.com等）を介して検索し、検索結果をディスプレイ１７３に表示するものである。
【００６５】
ここでは、検索実行部１１６は、リモコン２を介してユーザからの操作入力を受け付け、受け付けられた操作入力に基づいて、検索単語記憶部１２２に格納された検索キーワードの中から、少なくとも１の検索キーワードを選定し、選定された検索キーワードに適合するウェブページを、ブラウザ部１１７を介して、予め設定された検索サイトを介して検索し、検索結果をディスプレイ１７３に表示するものである。
【００６６】
例えば、検索実行部１１６は、検索単語記憶部１２２に格納された全ての検索キーワードを選択可能にディスプレイ１７３に表示し、リモコン２を介してユーザによって選定された検索キーワードを、ブラウザ部１１７を介して、予め設定された検索サイトを介して検索し、検索結果をディスプレイ１７３に表示するものである。
【００６７】
ブラウザ部１１７（ウェブブラウザに相当する）は、ＷＷＷ（Ｗｏｒｌｄ  Ｗｉｄｅ  Ｗｅｂ）でハイパーテキストのリンクを辿りながらウェブページ情報を取得して、ディスプレイ１７３に表示するものであって、いわゆる「ウェブブラウザ」として機能するものである。
【００６８】
図５、図６は、デジタル放送受信機１（主にＭＰＵ１１）の動作の一例を示すフローチャートである。まず、静止画像生成部１１１によって、図２に示すリモコン２に配設されたインターネット接続キー２４が押下された旨の信号が受け付けられたか否かの判定が行われる（Ｓ１０１）。インターネット接続キー２４が押下された旨の信号が受け付けられていないと判定された場合（Ｓ１０１でＮＯ）には、処理が待機状態とされる。
【００６９】
インターネット接続キー２４が押下された旨の信号が受け付けられたと判定された場合（Ｓ１０１でＹＥＳ）には、静止画像生成部１１１によって、受信部１４を介して受信された映像情報に対応する静止画像情報が生成される（Ｓ１０３）。そして、静止画像生成部１１１によって、ステップＳ１０３において生成された静止画像情報が静止画像記憶部１２１に記録される（Ｓ１０５）。次いで、検索単語抽出部１１５等によって、検索キーワードを抽出する処理である検索単語抽出処理（図６参照）が実行される（Ｓ１０７）。
【００７０】
次に、検索単語抽出部１１５によって、ステップＳ１０７において抽出された検索キーワードが検索単語記憶部１２２に記録される（Ｓ１０９）。そして、検索実行部１１６によって、リモコン２を介して検索キーワードの選定が受け付けられたか否かの判定が行われる（Ｓ１１１）。検索キーワードの選定が受け付けられていないと判定された場合（Ｓ１１１でＮＯ）には、処理が待機状態とされる。
【００７１】
検索キーワードの選定が受け付けられたと判定された場合（Ｓ１１１でＹＥＳ）には、検索実行部１１６によって、ステップＳ１１１において選定された検索キーワードに適合するウェブページが、予め設定された検索サイトを介して検索される（Ｓ１１３）。そして、検索実行部１１６によって、検索結果がディスプレイ１７３に表示され（Ｓ１１５）、処理が終了される。
【００７２】
図６は、図５に示すフローチャートのステップＳ１０７において実行される検索単語抽出処理の一例を示す詳細フローチャートである。まず、図形抽出部１１２によって、ステップＳ１０５において静止画像記憶部１２１に格納された静止画像情報から対象図形情報が抽出される（Ｓ２０１）。そして、第１判定部１１３によって、ステップＳ２０１において複数の対象図形が抽出されたか否かの判定が行われる（Ｓ２０３）。複数の対象図形が抽出されてはいない（＝１の対象図形が抽出された）と判定された場合（Ｓ２０３でＮＯ）には、処理がステップＳ２１５に進められる。
【００７３】
複数の対象図形が抽出されたと判定された場合（Ｓ２０３でＹＥＳ）には、第１判定部１１３によって、ステップＳ２０１において抽出された複数の対象図形の中から、１の対象図形が選択される（Ｓ２０５）。そして、第１判定部１１３によって、ステップＳ２０５において選択された１の対象図形について、判定用図形（例えば、図４（ａ）に示す検索ボタン表示部４０３に相当する図形情報）が有るか否かの判定が行われる（Ｓ２０７）。判定用図形が有ると判定された場合（Ｓ２０７でＹＥＳ）には、処理がステップＳ２１５に進められる。
【００７４】
判定用図形が無いと判定された場合（Ｓ２０７でＮＯ）には、第１判定部１１３によって、ステップＳ２０１において抽出された全ての対象図形について判定用図形の有無が判定されたか否かの判定が行われる（Ｓ２０９）。判定用図形の有無が判定されていない対象図形があると判定された場合（Ｓ２０９でＮＯ）には、処理がステップＳ２０５に戻され、ステップＳ２０５以降の処理が繰り返し実行される。全ての対象図形について判定用図形の有無が判定されたと判定された場合（Ｓ２０９でＹＥＳ）には、第２判定部１１４によって、ステップＳ２０１において抽出された複数の対象図形の中から、１の対象図形が選択される（Ｓ２１１）。
【００７５】
そして、第２判定部１１４によって、ステップＳ２１１において選択された１の対象図形について、判定用文字（例えば、図４（ａ）に示す検索ボタン表示部４０３内に表示された「検索」の文字、図４（ｂ）に示す検索ボタン表示部４１３内に表示された「ｓｅａｒｃｈ」の文字）が有るか否かの判定が行われる（Ｓ２１３）。判定用文字が有ると判定された場合（Ｓ２１３でＹＥＳ）には、処理がステップＳ２１５に進められる。
【００７６】
判定用文字が無いと判定された場合（Ｓ２１３でＮＯ）には、第２判定部１１４によって、ステップＳ２０１において抽出された全ての対象図形について判定用文字の有無が判定されたか否かの判定が行われる（Ｓ２１７）。判定用文字の有無が判定されていない対象図形があると判定された場合（Ｓ２１７でＮＯ）には、処理がステップＳ２１１に戻され、ステップＳ２１１以降の処理が繰り返し実行される。全ての対象図形について判定用文字の有無が判定されたと判定された場合（Ｓ２１７でＹＥＳ）には、処理がリターンされる。
【００７７】
ステップＳ２０３でＮＯ、ステップＳ２０７でＹＥＳ、又は、ステップＳ２１３でＹＥＳの場合には、検索単語抽出部１１５によって、対象図形情報の輪郭を構成する横長の長方形の内部に含まれる文字情報（例えば、図４キーワード表示部４０２、４１２にそれぞれ表示された「ＡＡＡＡ」、及び、「ＢＢＢＢ」の文字情報）が検索キーワードとして抽出され（Ｓ２１５）、処理がリターンされる。
【００７８】
このようにして、リモコン２を介してユーザからの操作入力が受け付けられ、受け付けられた操作入力に基づいて、受信部１４を介して受信された映像情報に対応する静止画像情報が生成され、静止画像情報が生成された場合に、生成された静止画像情報に含まれ、ブラウザ部１１７を介してユーザが閲覧を所望するウェブページを検索する際に入力されるキーワードである検索キーワードが文字情報として抽出されるため、閲覧を所望するウェブページを効率的に検索することができる。
【００７９】
すなわち、受信された映像情報に対応する静止画像情報が生成され、生成された静止画像情報に含まれ、ブラウザ部１１７を介してユーザが閲覧を所望するウェブページを検索する際に入力されるキーワードである検索キーワードが文字情報として抽出されるため、抽出された検索キーワードを、ウェブブラウザを介して、例えば、検索サイトにおける検索キーワードを受け付けるキーワード入力部に入力することによってウェブページを検索することが可能となるため、閲覧を所望するウェブページを効率的に検索することができるのである。
【００８０】
また、検索キーワードが抽出された場合に、抽出された検索キーワードに適合するウェブページが、ブラウザ部１１７を介して、予め設定された検索サイトを介して検索され、検索結果がディスプレイ１７３に表示されるため、閲覧を所望するウェブページを更に効率的に検索することができる。
【００８１】
すなわち、検索キーワードが抽出された場合に、抽出された検索キーワードに適合するウェブページが、ブラウザ部１１７を介して、予め設定された検索サイトを介して検索され、検索結果がディスプレイ１７３に表示されるため、ユーザが検索サイトにおける検索キーワードを受け付けるキーワード入力部に入力する必要が無いので、閲覧を所望するウェブページを更に効率的に検索することができるのである。
【００８２】
更に、抽出された検索キーワードが文字情報として検索単語記憶部１２２に記録され、リモコン２を介してユーザからの操作入力が受け付けられ、受け付けられた操作入力に基づいて、検索単語記憶部１２２に格納された検索キーワードの中から、少なくとも１の検索キーワードが選定され、選定された検索キーワードに適合するウェブページが、ブラウザ部１１７を介して、予め設定された検索サイトを介して検索され、検索結果がディスプレイ１７３に表示されるため、閲覧を所望するウェブページを利便性良好に且つ効率的に検索することができる。
【００８３】
すなわち、抽出された検索キーワードが文字情報として検索単語記憶部１２２に記録され、リモコン２を介してユーザからの操作入力が受け付けられ、受け付けられた操作入力に基づいて、検索単語記憶部１２２に格納された検索キーワードの中から、少なくとも１の検索キーワードが選定され、選定された検索キーワードに適合するウェブページが、ブラウザ部１１７を介して、予め設定された検索サイトを介して検索され、検索結果がディスプレイ１７３に表示されるため、ユーザは所望する検索キーワードを選択することができるので、閲覧を所望するウェブページを利便性良好に且つ効率的に検索することができるのである。
【００８４】
例えば、検索キーワードとして不要なものが抽出された場合には、抽出された検索キーワードの中から不要な検索キーワードを除く検索キーワードを選定することによって、閲覧を所望するウェブページを確実に検索することができるのである。
【００８５】
加えて、生成された静止画像情報に含まれる横長の長方形からなる図形情報である対象図形情報が抽出され、抽出された対象図形情報の輪郭を構成する横長の長方形の内部に含まれる文字情報が検索キーワードとして抽出されるため、閲覧を所望するウェブページを更に効率的に検索することができる。
【００８６】
すなわち、生成された静止画像情報に含まれる横長の長方形からなる図形情報である対象図形情報が抽出され、抽出された対象図形情報の輪郭を構成する横長の長方形の内部に含まれる文字情報が検索キーワードとして抽出されるため、検索キーワードを抽出する対象となる領域が対象図形の内部に限定されるので、検索キーワードを効率的に抽出することができ、閲覧を所望するウェブページを更に効率的に検索することができるのである。
【００８７】
また、複数の対象図形情報が抽出された場合に、複数の対象図形情報毎に、対象図形の右側に、対象図形と高さが略同一であって、且つ、対象図形より幅が狭い図形である判定用図形があるか否かが判定され、抽出された複数の対象図形情報の内、判定用図形があると判定された対象図形情報について、検索キーワードが抽出されるため、閲覧を所望するウェブページを更に効率的に検索することができる。
【００８８】
すなわち、複数の対象図形情報が抽出された場合に、複数の対象図形情報毎に、対象図形の右側に、対象図形と高さが略同一であって、且つ、対象図形より幅が狭い図形である判定用図形（例えば、図４（ａ）の検索ボタン表示部４０３）があるか否かが判定され、抽出された複数の対象図形情報の内、判定用図形があると判定された対象図形情報について、検索キーワードが抽出されるため、不要な検索キーワードが抽出されることを効果的に防止することができるので、検索キーワードを更に効率的に抽出することができ、閲覧を所望するウェブページを更に効率的に検索することができるのである。
【００８９】
更に、判定用図形（例えば、図４（ａ）の検索ボタン表示部４０３）として横長の長方形からなる図形があるか否かが判定されるため、判定用図形があるか否かを更に適正に判定することができるので、検索キーワードを更に効率的に抽出することができ、閲覧を所望するウェブページを更に効率的に検索することができる。
【００９０】
加えて、複数の対象図形情報が抽出された場合に、複数の対象図形情報毎に、対象図形の右側近傍に、「検索」又は「ｓｅａｒｃｈ」との文字である判定用文字があるか否かが判定され、抽出された複数の対象図形情報の内、判定用文字があると判定された対象図形情報について、検索キーワードが抽出されるため、閲覧を所望するウェブページを更に効率的に検索することができる。
【００９１】
すなわち、複数の対象図形情報が抽出された場合に、複数の対象図形情報毎に、対象図形の右側近傍に、「検索」又は「ｓｅａｒｃｈ」との文字である判定用文字（例えば、図４（ａ）の検索ボタン表示部４０３内に表示された「検索」の文字）があるか否かが判定され、抽出された複数の対象図形情報の内、判定用文字があると判定された対象図形情報について、検索キーワードが抽出されるため、不要な検索キーワードが抽出されることを効果的に防止することができるので、検索キーワードを更に効率的に抽出することができ、閲覧を所望するウェブページを更に効率的に検索することができるのである。
【００９２】
なお、本発明は、以下の形態にも適用可能である。
（Ａ）本実施形態では、放送受信装置が、デジタル放送を受信するデジタル放送受信機１である場合について説明したが、放送受信装置が、デジタル放送及びアナログ放送の少なくとも一方を受信する形態であればよい。例えば、放送受信装置が、アナログ放送を受信する形態でもよいし、デジタル放送及びアナログ放送を受信する形態でもよい。
【００９３】
（Ｂ）本実施形態では、ブラウザ部１１７が、インターネット３を介してウェブページ情報を取得する場合について説明したが、ブラウザ部１１７が、その他のネットワーク（例えば、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）を介して、ウェブページ情報を取得する形態でもよい。
【００９４】
（Ｃ）本実施形態では、ＭＰＵ１１が、静止画像生成部１１１、図形抽出部１１２、第１判定部１１３、第２判定部１１４、検索単語抽出部１１５、検索実行部１１６、ブラウザ部１１７等の機能部を備える場合について説明したが、静止画像生成部１１１、図形抽出部１１２、第１判定部１１３、第２判定部１１４、検索単語抽出部１１５、検索実行部１１６、及び、ブラウザ部１１７の内、少なくとも１の機能部が、回路等のハードウェアによって実現されている形態でもよい。
【００９５】
（Ｄ）本実施形態では、検索実行部１１６が、検索単語記憶部１２２に格納された検索キーワードの中から選定された検索キーワードに適合するウェブページを検索する場合について説明したが、検索実行部１１６が、静止画像生成部１１１によって静止画像情報が生成される度に、検索単語抽出部１１５によって抽出された検索キーワードに適合するウェブページを検索する形態でもよい。この場合には、ユーザは、図２に示すリモコン２に配設されたインターネット接続キー２４を押下するだけで、閲覧を所望するウェブページを表示することができるので、更に操作が簡略化される。
【００９６】
（Ｅ）本実施形態では、検索単語抽出部１１５が、第１判定部１１３によって判定用図形があると判定された対象図形情報又は第２判定部１１４によって判定用文字があると判定された対象図形情報について検索キーワードを抽出する場合について説明したが、検索単語抽出部１１５が、第１判定部１１３によって判定用図形があると判定された対象図形情報であって、且つ、第２判定部１１４によって判定用文字があると判定された対象図形情報について検索キーワードを抽出する形態でもよい。この場合には、検索単語抽出部１１５によって不要な検索キーワードが抽出されることを更に確実に防止することができる。
【図面の簡単な説明】
【００９７】
【図１】は、本発明に係るデジタル放送受信機の構成の一例を示すブロック図である。
【図２】は、リモコンの一例を示す正面図である。
【図３】は、本発明に係るデジタル放送受信機における主要部の構成の一例を示すブロック図である。
【図４】は、図形抽出部によって抽出される対象図形情報、第１判定部によって判定に用いられる判定用図形、及び、第２判定部によって判定に用いられる判定用文字が含まれる静止画像が表示された画面の一例を示す画面図である。
【図５】は、デジタル放送受信機（主にＭＰＵ）の動作の一例を示すフローチャートである。
【図６】は、図５に示すフローチャートのステップＳ１０７において実行される検索単語抽出処理の一例を示す詳細フローチャートである。
【符号の説明】
【００９８】
１    デジタル放送受信機（放送受信装置）
１１    ＭＰＵ
１１１    静止画像生成部（静止画像生成手段の一部）
１１２    図形抽出部（図形抽出手段）
１１３    第１判定部（第１判定手段）
１１４    第２判定部（第２判定手段）
１１５    検索単語抽出部（検索単語抽出手段）
１１６    検索実行部（検索実行手段の一部）
１１７    ブラウザ部（ウェブブラウザ）
１２    ＲＡＭ
１２１    静止画像記憶部
１２２    検索単語記憶部（検索単語記憶手段）
１４    受信部（受信手段）
１７    画像出力部
１７３    ディスプレイ（モニタ）
１９    通信部
２    リモコン（静止画像生成手段の一部、及び、検索実行手段の一部）
３    インターネット（ネットワーク）
【図１】
2009105587.tif 000003
【図２】
2009105587.tif 000004
【図３】
2009105587.tif 000005
【図４】
2009105587.tif 000006
【図５】
2009105587.tif 000007
【図６】
2009105587.tif 000008